(57)【要約】【課題】追い刷り印刷でジャムが発生した際に所定の成果物を不足なく得ることを可能にする。【解決手段】画像データに基づいて転写媒体に画像形成を行う画像形成部と、転写媒体を搬送する搬送部と、画像データを管理し、画像形成部と搬送部とを制御する制御部と、を有し、制御部は、当該画像形成装置で下地画像と追い刷り画像を印刷する場合に、下地画像の第１画像データと追い刷り画像の第２画像データとを紐付けして管理することができ、追い刷り画像の出力中に転写媒体のジャムを検知した場合、ジャム処理によって除外されたジャムの転写媒体に変えて当該画像形成装置で下地画像が出力された転写媒体を印刷用に補充をする。【選択図】図５
2017154367.tif 000002
【特許請求の範囲】
【請求項１】
画像データに基づいて転写媒体に画像形成を行う画像形成部と、
前記転写媒体を搬送する搬送部と、
画像データを管理し、前記画像形成部と前記搬送部とを制御する制御部と、を有し、
前記制御部は、当該画像形成装置で下地画像と追い刷り画像を印刷する場合に、
追い刷り画像の出力中に転写媒体のジャムを検知したとき、ジャム処理によって除外されたジャムの転写媒体に変えて、当該画像形成装置で下地画像が出力された転写媒体を印刷用に補充をすることを特徴とする画像形成装置。
【請求項２】
前記制御部は、前記画像形成装置で下地画像と追い刷り画像を印刷する場合に、下地画像のジョブと追い刷り画像のジョブとを紐付けして管理することを特徴とする請求項１記載の画像形成装置。
【請求項３】
前記制御部は、前記ジャム処理後、残りの追い刷り画像分の印刷を継続して完了した後、ジャムによって不足する分の、下地画像が出力された転写媒体を補充し、この転写媒体に追い刷り画像を印刷することを特徴とする請求項１または２に記載の画像形成装置。
【請求項４】
前記制御部は、前記下地画像に対する後処理が必要な場合、前記ジャムを検知した後、後処理装置のウォーミングアップを開始し、ジャム処理終了後にジャムによって不足する分の、下地画像が出力された転写媒体を補充することを特徴とする請求項１〜３のいずれか１項に記載の画像形成装置。
【請求項５】
前記制御部は、下地画像を再度出力した新たな転写媒体を前記補充に用いることを特徴とする請求項１〜４のいずれか１項に記載の画像形成装置。
【請求項６】
前記制御部は、下地画像が印刷された転写媒体を用意する際に、出力を余分に実施し、下地画像が印刷された予備の転写媒体がなくなった場合は、不足分の転写媒体を出力することを特徴とする請求項１〜５のいずれか１項に記載の画像形成装置。  
【請求項７】
前記制御部は、下地画像の出力数と追い刷り画像出力で設定された部数を比較して、下地画像の出力数が不足していた場合、下地画像出力の手順を開始し、下地画像の出力数が足りている場合は下地画像出力の手順を開始しないことを特徴とする請求項１〜６のいずれか１項に記載の画像形成装置。
【請求項８】
画像が形成された転写媒体に対する後処理を行う後処理装置を備えることを特徴とする請求項１〜７のいずれか１項に記載の画像形成装置。
【請求項９】
下地画像と追い刷り画像を同じ画像形成装置で印刷する場合に、
追い刷り画像の出力中に転写媒体のジャムが発生したかを判定し、
ジャムが発生した場合、ジャム処理によって除外されたジャムの転写媒体に変えて、前記画像形成装置で下地画像が出力された新たな転写媒体を印刷用に補充をすることを特徴とする画像形成方法。
【請求項１０】
前記制御部は、下地画像と追い刷り画像を同じ画像形成装置で印刷する場合に、下地画像のジョブと追い刷り画像のジョブとをを紐付けして管理することを特徴とする請求項９に記載の画像形成方法。
【請求項１１】
画像データに基づいて転写媒体に画像形成を行う画像形成部と、
前記転写媒体を搬送する搬送部と、を有する画像形成装置を管理する画像形成管理装置であって、
前記画像形成装置を管理する管理制御部を有し、
前記管理制御部は、同じ画像形成装置で下地画像と追い刷り画像を印刷する場合に、追い刷り画像の出力中に転写媒体のジャムが検知されたとき、ジャム処理によって除外されたジャムの転写媒体に変えて前記画像形成装置で下地画像が出力された新たな転写媒体を印刷用に補充をする制御を行うことを特徴とする画像形成管理装置。
【請求項１２】
前記管理制御部は、同じ画像形成装置で下地画像と追い刷り画像を印刷する場合に、下地画像のジョブと追い刷り画像のジョブとを紐付けして管理することを特徴とする請求項１１記載の画像形成管理装置。
【発明の詳細な説明】
【技術分野】
【０００１】
この発明は、同じ装置で下地画像と追い刷り画像の印刷とを行う画像形成装置、画像形成方法および画像形成管理装置に関するものである。
【背景技術】
【０００２】
画像データに基づいて転写媒体に画像を形成する画像形成装置では、先に下地画像を転写媒体に印刷しておき、その後、その転写媒体に追い刷り印刷をする場合がある。
追い刷り印刷をする場合、従来は下地画像出力と追い刷り画像出力は別の画像形成装置で実施することが多い。例えば下地画像出力はカラー対応した画像形成装置で実施し、追い刷り画像出力はモノクロ対応した画像形成装置で実施する。そのようなシステムでは追い刷り画像出力中にジャムが発生して下地画像が印刷された用紙をジャム処理で取り除いた場合、下地画像を出力する画像形成装置で下地画像が印刷された用紙を生成することで不足分を補っている。
【０００３】
ところで、追い刷り印刷を行う場合、下地画像と追い刷り画像との間の整合性が良いことが必要になる。このため特許文献１では、用紙収納部に収納された用紙上の画像を読み取る読取部と、読取部が読取により取得した読取画像データと、追い刷り用紙上の画像の画像データとを比較する比較部を有する画像形成装置が提案されている。特許文献１では、追い刷り印刷において発生する印刷ミスを防止して、追い刷り用紙上に正しい画像を形成することを可能にしている。
【０００４】
また、特許文献２では、記録媒体上に予め形成された第１の画像に係る画像データおよび記録媒体上に画像を形成する入力画像データを重ね合わせた画像と、画像形成後の記録媒体上に形成された第２の画像と、を比較して画像形成部におけるミスプリントの検出を行うことができる装置が提案されている。これにより、追い刷り印刷する際に的確にミスプリントを検出することができるものとしている。
【先行技術文献】
【特許文献】
【０００５】
【特許文献１】特開２０１２−１０８８２８号公報
【特許文献２】特開２００８−２５２６４７号公報
【発明の概要】
【発明が解決しようとする課題】
【０００６】
ところで、下地画像と追い刷り印刷とを同じ画像形成装置で行う場合、追い刷り画像を印刷するときにジャムが発生すると、下地画像が印刷された用紙をジャム処理で取り除くことになる。そして、ジャム処理後に、そのままジョブを継続すると、下地画像が印刷された用紙が不足しているので、最終成果物も不足してしまうという問題がある。
前記した特許文献で提案されている装置では、追い刷り印刷における印刷品質については考慮されているが、追い刷り印刷でジャムが発生した際の対処については全く配慮されておらず、前記課題を解決することは困難である。
【０００７】
本発明は、上記事情を背景としてなされたものであり、追い刷り印刷に際しジャムが発生した場合でも、最終成果物を不足なく得ることができる画像形成装置、画像形成方法および画像形成管理装置を提供することを目的とする。
【課題を解決するための手段】
【０００８】
本発明の画像形成装置のうち、第１の形態は、
画像データに基づいて転写媒体に画像形成を行う画像形成部と、
前記転写媒体を搬送する搬送部と、
画像データを管理し、前記画像形成部と前記搬送部とを制御する制御部と、を有し、
前記制御部は、当該画像形成装置で下地画像と追い刷り画像を印刷する場合に、
追い刷り画像の出力中に転写媒体のジャムを検知したとき、ジャム処理によって除外されたジャムの転写媒体に変えて、当該画像形成装置で下地画像が出力された転写媒体を印刷用に補充をすることを特徴とする。
【０００９】
他の形態の画像形成装置の発明は、前記形態の本発明において、前記制御部は、下地画像のジョブと追い刷り画像のジョブとを紐付けして管理することを特徴とする。
【００１０】
他の形態の画像形成装置の発明は、前記形態の本発明において、前記制御部は、前記ジャム処理後、残りの追い刷り画像分の印刷を継続して完了した後、ジャムによって不足する分の、下地画像が出力された転写媒体を補充し、この転写媒体に追い刷り画像を印刷することを特徴とする。
【００１１】
他の形態の画像形成装置の発明は、前記形態の本発明において、前記制御部は、前記下地画像に対する後処理が必要な場合、前記ジャムを検知した後、後処理装置のウォーミングアップを開始し、ジャム処理終了後にジャムによって不足する分の、下地画像が出力された転写媒体を補充することを特徴とする。
【００１２】
他の形態の画像形成装置の発明は、前記形態の本発明において、前記制御部は、下地画像を再度出力した新たな転写媒体を前記補充に用いることを特徴とする。
【００１３】
他の形態の画像形成装置の発明は、前記形態の本発明において、前記制御部は、下地画像が印刷された転写媒体を用意する際に、出力を余分に実施し、下地画像が印刷された予備の転写媒体がなくなった場合は、不足分の転写媒体を出力することを特徴とする。  
【００１４】
他の形態の画像形成装置の発明は、前記形態の本発明において、前記制御部は、下地画像の出力数と追い刷り画像出力で設定された部数を比較して、下地画像の出力数が不足していた場合、下地画像出力の手順を開始し、下地画像の出力数が足りている場合は下地画像出力の手順を開始しないことを特徴とする。
【００１５】
他の形態の画像形成装置の発明は、前記形態の本発明において、画像が形成された転写媒体に対する後処理を行う後処理装置を備えることを特徴とする。
【００１６】
本発明の画像形成方法の発明のうち、第１の形態は、下地画像と追い刷り画像を同じ画像形成装置で印刷する場合に、
追い刷り画像の出力中に転写媒体のジャムが発生したかを判定し、
ジャムが発生した場合、ジャム処理によって除外されたジャムの転写媒体に変えて、前記画像形成装置で下地画像が出力された新たな転写媒体を印刷用に補充をすることを特徴とする。
【００１７】
他の形態の画像形成方法の発明は、前記形態の本発明において、前記制御部は、下地画像と追い刷り画像を同じ画像形成装置で印刷する場合に、下地画像のジョブと追い刷り画像のジョブとをを紐付けして管理することを特徴とする。
【００１８】
本発明の画像形成管理装置の発明のうち、第１の形態は、
画像データに基づいて転写媒体に画像形成を行う画像形成部と、
前記転写媒体を搬送する搬送部と、を有する画像形成装置を管理する画像形成管理装置であって、
前記画像形成装置を管理する管理制御部を有し、
前記管理制御部は、同じ画像形成装置で下地画像と追い刷り画像を印刷する場合に、追い刷り画像の出力中に転写媒体のジャムが検知されたとき、ジャム処理によって除外されたジャムの転写媒体に変えて前記画像形成装置で下地画像が出力された新たな転写媒体を印刷用に補充をする制御を行うことを特徴とする。
【００１９】
他の形態の画像形成管理装置の発明は、前記形態の本発明において、  前記管理制御部は、同じ画像形成装置で下地画像と追い刷り画像を印刷する場合に、下地画像のジョブと追い刷り画像のジョブとを紐付けして管理することを特徴とする。
【発明の効果】
【００２０】
本発明によれば、下地画像と追い刷り画像とを同じ画像形成装置で出力する際に、追い刷り画像を印刷するときにジャムが発生しても、当該画像形成装置で下地画像が印刷された転写媒体を補充することにより、最終成果物が不足することなくジョブを完了させることができる。
【図面の簡単な説明】
【００２１】
【図１】本発明の一実施形態の画像形成装置および画像形成システムの概略を示す図である。
【図２】同じく、制御ブロック図である。
【図３】同じく、下地画像のジョブと、追い刷り画像のジョブとの紐付けを行う操作画面を示す図である。
【図４】下地画像と追い刷り画像とを同じ画像形成装置で印刷する手順を示すフローチャートである。
【図５】本発明の一実施形態で、追い刷り画像の印刷でジャムが発生した際に、追い刷り画像を中断して下地画像の再印刷を行う手順を示すフローチャートである。
【図６】本発明の他の実施形態で、追い刷り画像の印刷でジャムが発生した際に追い刷り画像の印刷を継続して、紙なしで下地画像の再印刷、追い刷り印刷の再開を行う手順を示すフローチャートである。
【図７】本発明のさらに他の実施形態で、追い刷り画像の印刷でジャムが発生した際に、追い刷り画像の印刷と下地画像の再印刷を選択して処理を行う手順を示すフローチャートである。
【図８】本発明のさらに他の実施形態で、追い刷り画像の印刷でジャムが発生した際に、後処理装置のウォーミングアップ開始を行うかを選択して処理を行う手順を示すフローチャートである。
【図９】本発明のさらに他の実施形態で、下地画像の出力をするときに追い刷り画像の出力時にジャムが発生することを見越して、下地画像の出力を余分に実施する手順を示すフローチャートである。
【発明を実施するための形態】
【００２２】
以下に、本発明の一実施形態を添付図面に基づいて説明する。
図１は、画像形成装置を含む画像形成システム１の機械的概要を示す図である。
画像形成システム１は、給紙部２０と画像形成装置本体１０と箔押し機３０と後処理部４０とを備えている。後処理部４０は、本発明の後処理装置に相当する。なお、この実施形態では、画像形成装置本体１０が画像形成装置に相当する。本発明としては、画像形成装置本体１０に、給紙部２０や箔押し機３０、後処理部４０などを含むものを画像形成装置とするものであってもよく、その構成は特に限定されない。
【００２３】
給紙部２０は、転写紙を保持するための機構を有するものであり、画像形成装置本体１０の用紙搬送方向の上流側に連結され、用紙を収容する複数段の給紙トレイ（図示しない）を有している。各給紙トレイは、任意のサイズの用紙がセット可能に構成されたユニバーサルトレイである。給紙部２０は、ユーザーにより指定された用紙が収容された給紙トレイから用紙を一枚ずつ給紙し、順番に搬送ローラー等を介して下流側の画像形成装置本体１０に給送する。なお、本実施形態では、一台の給紙部２０を使用した例を説明したが、これに限定されることはなく、給紙部２０を２台以上連結させてもよい。用紙は、本発明における転写媒体に相当する。なお、転写媒体は紙に限定されるものではなく、布やプラスチックでもよく、本発明としては画像を転写できるものであればよく、材質が限定されるものではない。
【００２４】
画像形成装置本体１０は、箔転写処理時において、給紙部２０や画像形成装置本体１０内の給紙部から給紙される用紙に画像を転写して後段の箔押し機３０に搬送する。
【００２５】
また、画像形成装置本体１０は、ユーザー操作による追い刷り印刷に関する各種条件の設定等を受け付けるための操作部１４０を備えている。操作部１４０は、画像形成装置本体１０の筐体上面部に取り付けられ、例えばＬＣＤ（Ｌｉｑｕｉｄ  Ｃｒｙｓｔａｌ  Ｄｉｓｐｌａｙ）等からなるタッチパネルとこのタッチパネルの周辺部に設けられた数字ボタンやプリントスタートボタン等を含むハードキーとを有している。操作部１４０は、追い刷り印刷でジャムが発生した際に行う処理内容として、例えば、ジャム処理後に、追い刷り印刷を中断して下地画像を印刷するモード、追い刷り印刷を継続して用紙がなくなると下地画像の印刷を再開するモード、ジャム発生時に後処理を行うジョブでは後処理装置のウォーミングアップを開始するモード、下地画像の印刷に際し、余分な枚数で印刷を行っておくモードなどを選択する設定を行うことができる。
これらの受け付けは、画像形成装置本体１０にネットワークなどに接続される図示しないコンピューター等、種々の方法により行うこともできる。
【００２６】
箔押し機３０は、画像形成部で転写された画像に、箔像を転写する機構を有するものであり、画像形成装置本体１０の用紙搬送方向の下流側に連結される。画像形成装置本体１０から搬送され、所定の箔用画像が転写された用紙に箔シートを加熱圧着することで所定の箔像を転写する。所定の箔像が転写された用紙は、後段の後処理部４０に搬送される。箔像を転写しない場合には、そのまま後処理部４０に搬送する。
【００２７】
後処理部４０は、箔押し機３０の用紙搬送方向の下流側に連結される。後処理部４０は、画像形成が完了して箔押し機３０から搬送されてくる用紙に、例えば、ステープル処理や、中折り処理、三つ折り処理、中綴じステープル処理等のフィニッシャー処理を行う。また、後処理部４０は、箔押し機３０により箔転写処理が行われた用紙を排紙トレイに排紙する。
【００２８】
［画像形成装置の構成例］
次に、画像形成装置本体１０の構成例について図１に基づいて説明する。画像形成装置本体１０は、タンデム型の画像形成装置と称されるものであり、制御部１００、操作部１４０、自動原稿給紙部１３Ａ、画像読取部１３Ｂ、画像形成部１５、定着部１５Ｄおよび給紙部２０等を備えている。
【００２９】
画像読取部１３Ｂは、自動原稿給紙部１３Ａから一枚ずつ搬送される原稿等に光源から光を照射し、その反射光をＣＣＤ（Ｃｈａｒｇｅ  Ｃｏｕｐｌｅｄ  Ｄｅｖｉｃｅ）１３１（図２示）で受光することで原稿の画像データを取得する。画像読取部１３Ｂで取得された画像データは、読取り処理部１１６（図２示）によりアナログ処理、アナログ／ディジタル（以下Ａ／Ｄという）変換処理、画像圧縮処理等が行われる。
【００３０】
操作部１４０は、使用する転写媒体としての用紙の種類の設定、全ての画像データの中から箔を転写する箔処理領域の選択の設定、箔処理するために所定のトナー像の各画像を太らせて拡大する輪郭領域の設定等を行う選択画面を表示し、ユーザーにより用紙の箔画像印刷の有無を含めた設定等を受け付ける。なお、操作部１４０は、箔押し機３０に設けてもよい。全ての画像データの中から箔処理領域を設定する方法は、例えば、文字、線画、グラフィック等の属性を選択することによる設定、座標を入力することによる箔処理領域の選択による設定等により行われる。
【００３１】
画像形成部１５は、電子写真方式により画像を形成するものであり、イエロー（Ｙ）、マゼンタ（Ｍ）、シアン（Ｃ）色の画像、黒（Ｋ）色の画像を形成する画像形成部１５を有している。画像形成部１５は、各色用の感光体１５Ａにより形成されて現像された画像を保持する中間転写ベルト１５Ｂと、中間転写ベルト１５Ｂ上にある画像を用紙に転写するための二次転写ローラー１５Ｃとを有している。
【００３２】
画像形成部１５では、各色用に前記した感光体１５Ａと、その周囲に配置される帯電部、露光部、現像部およびクリーニング部を有している。図では、帯電部、露光部、現像部およびクリーニング部は図示していない。以下に、各色用について説明する。
帯電部は、各色において、感光体１５Ａのオモテ面をほぼ一様に帯電する。露光部は、例えばＬＥＤアレイと結像レンズとを有するＬＰＨ（ＬＥＤ  Ｐｒｉｎｔ  Ｈｅａｄ）や、ポリゴンミラー方式のレーザ露光走査装置により構成され、画像データに基づいて感光体１５Ａをレーザ光により走査して静電潜像を形成する。現像部は、感光体１５Ａ上に形成された静電潜像をトナーにより現像する。これにより、感光体１５Ａ上に可視画像であるトナー像が形成される。中間転写ベルト１５Ｂは、複数のローラーにより張架されると共に走行可能に支持されている。中間転写ベルト１５Ｂが走行して、中間転写ベルト１５Ｂの画像転写位置に各感光体１５Ａに形成されたトナー像が一次転写される。中間転写ベルト１５Ｂに転写された画像は、二次転写ローラー１５Ｃによって用紙に転写される。用紙に転写された画像は、定着部１５Ｄで定着される。色として透明色を含むものであってもよい。なお、この実施形態では、カラーの画像形成装置について説明したが、画像形成装置は、モノクロのものであってもよい。
【００３３】
本実施形態では、例えば操作部１４０や図示しないコンピューター等によってプリント対象となる箔像を転写する所定の箔処理領域が選択されると、このプリント対象となる箔処理領域の画像データが各感光体１５Ａに形成される。このトナー像は、イエロー色、マゼンタ色、シアン色、黒色のうちの何れかの色を用いて形成することもできるし、これらの色のうち少なくとも２色以上からなる色を用いて形成することもできる。
【００３４】
給紙部２０や画像形成装置本体１０内の給紙部は、Ａ３やＡ４等の各用紙サイズを収容する複数の給紙トレイ（図示しない）を有している。給紙された用紙は、搬送路１４上で搬送ローラー、レジストローラー１４Ａを通して搬送される。
【００３５】
レジストローラー１４Ａに搬送された用紙は、レジストローラー１４Ａで用紙の斜行を補正するレジスト補正が行われる。レジスト補正が終了すると、用紙は所定のタイミングで二次転写ローラー１５Ｃへと搬送される。二次転写ローラー１５Ｃでは、中間転写ベルト１５Ｂの画像形成位置に転写されたトナー像が、給紙部２０から搬送されてくる用紙のオモテ面に一括二次転写される。２次転写された用紙は、定着部１５Ｄに搬送される。
【００３６】
定着部１５Ｄは、二次転写ローラー１５Ｃよりも用紙搬送方向の下流側に設けられ、加圧ローラーおよび加熱ローラー等を有している。定着部１５Ｄは、二次転写ローラー１５Ｃで画像が転写された用紙に加圧、加熱処理を行うことにより用紙オモテ面のトナー像を用紙に定着させる。
【００３７】
定着部１５Ｄの搬送方向の下流側には、用紙の搬送経路を排紙経路側または反転経路側に切り替えるための切替部１４Ｂが設けられている。切替部１４Ｂは、選択されているプリントモード（片面プリントモードまたは両面プリントモード）に基づいて搬送経路の切り替え制御を行う。片面プリントモードで片面のプリントが終了した用紙、または両面プリントモードで両面のプリントが終了した用紙は、定着部１５Ｄで定着処理が施された後、排紙ローラー１４Ｄにより箔押し機３０に搬送される。
【００３８】
一方、両面プリントモードで用紙を表裏反転させる場合、オモテ面側に画像が形成された用紙またはオモテ面に画像が形成されていない用紙は、切替部１４Ｂを介して反転部１４Ｃに搬送される。反転部１４Ｃは、用紙を反転してウラ面を印字するための機構である。反転部１４Ｃに搬送された用紙は、逆回転制御により用紙の後端を先頭にしてスイッチバック搬送され、用紙の表裏反転させた状態で、画像形成部１５に再給紙される。画像形成部１５に再給紙された用紙は、用紙のオモテ面側の画像形成処理と同様に、二次転写ローラー１５Ｃにて用紙のウラ面に所定のトナー像が転写される。本実施形態では、用紙の両面に所定のトナー像を転写する場合、この用紙の表裏を反転させることでウラ面側にも所定のトナー像を転写させる。画像形成部１５によりウラ面にトナー像が転写された用紙は、定着部１５Ｄで定着処理が行われた後に、排紙ローラー１４Ｄ等を介して箔押し機３０に搬送される。
【００３９】
制御部１００は、画像形成装置本体１０全体を制御するとともに、画像形成システム１の制御を行う。制御部１００は、ＣＰＵやこれを動作させるプログラム、動作パラメータなどを記憶した記憶部などによって構成される。画像形成システム１では、用紙が搬送される経路に用紙検知部（図示しない）が設けられており、用紙検知部の検知結果は画像制御ＣＰＵ１１３に送信される。画像制御ＣＰＵ１１３は、用紙検知部からの検知結果に基づいて、搬送制御に際し、ジャムの発生を検知することができる。
【００４０】
［箔転写装置の構成例］
次に、箔押し機３０について説明する。図１に示すように、箔押し機３０は、画像形成装置本体１０の搬送路１４と連なるように搬送路３４を有しており、搬送方向下流側で後処理部４０に接続されている。箔押し機３０では、上流側に箔膜シート給送部３２が設けられて箔膜シートがロール状に設置されて一端が送り出し可能になっている。また、箔押し機３０では、下流側で箔膜シート巻取部３３が設置されており、箔膜シート給送部３２から送り出されて転写に用いた箔膜シートが巻き取られる。
搬送路３４の中途には箔膜シート転写部３１を有しており、箔膜シート給送部３２と箔膜シート巻取部３３との間で、箔膜シート転写部３１を介して箔膜シートが移動可能に掛け渡されている。
箔膜シート転写部３１では、箔膜シートが上面側に位置し、その下方側で、搬送路３４で搬送される用紙が移動する。
【００４１】
箔膜の転写では、用紙搬送速度と、箔膜シート給送部３２と箔膜シート巻取部３３間の箔膜シートの速度とが同じ速度になるように制御されて用紙の搬送と、箔膜シートの移動とが行われる。箔膜シート転写部３１では、箔膜シート給送部３２から箔膜シートを搬送し、箔膜シート転写部３１で画像形成された用紙の現像剤と箔膜シートを重ねて加熱し、融解した現像剤により箔シートを定着させる。箔膜シート転写部３１の上下ローラーは、箔画像転写時のみ圧着され、通常画像搬送時には圧着解除される。                      転写を実施した箔膜シートは箔膜シート巻き取り部３３により回収される。
【００４２】
後処理部４０では、必要に応じて、ステープル、パンチ、折り、製本などの適宜の処理が行われ、排紙部４１に排紙される。後処理を行わない場合は、そのまま排紙部４１に排紙される。
【００４３】
次に、画像形成システムにおける制御ブロックを図２に基づいて説明する。
画像形成装置本体１０は、主要な構成として、制御ブロック１１０とスキャナー部１３０と操作部１４０とプリンター部１５０とを有するデジタルコピアと、ネットワーク６を通して外部装置５との間で入出力される画像データを処理する画像処理部（プリント＆スキャナーコントローラー）１６０とを備えている。
【００４４】
制御ブロック１１０はＰＣＩバス１１２を有しており、ＰＣＩバス１１２は制御ブロック１１０内でＤＲＡＭ制御ＩＣ１１１に接続されている。また、ＰＣＩバス１１２には、コントローラーＩＣ１１８を介してＨＤＤ１１９が接続されている。ＨＤＤ１１９では、画像データの格納などをすることができる。
【００４５】
さらに制御ブロック１１０には、画像制御ＣＰＵ１１３を備えており、画像制御ＣＰＵ１１３に前記ＤＲＡＭ制御ＩＣ１１１が接続されている。また、画像制御ＣＰＵ１１３には、不揮発メモリー１１５が接続されている。不揮発メモリー１１５には、上記画像制御ＣＰＵ１１３で実行されるプログラムや画像形成装置本体１０の設定データ、プロセス制御パラメータなどが格納されている。
【００４６】
画像制御ＣＰＵ１１３は、プログラムの実行によって画像形成システム１の全体を制御し、また画像形成システム１全体の状態把握を行うものであり、用紙の搬送制御、画像形成制御などを行う。すなわち、画像制御ＣＰＵ１１３と画像制御ＣＰＵ１１３で動作するプログラム、不揮発メモリー１１５などは、本発明の制御部１００を構成する。画像制御ＣＰＵ１１３では、画像形成システム１の機内でジャムが発生したことを検知する機能を有している。、
画像制御ＣＰＵ１１３には、ＲＴＣ（日時データ発生装置）１２５が接続されており、日時データを画像制御ＣＰＵ１１３に送信することができる。
【００４７】
前記スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されており、画像制御ＣＰＵ１１３による制御を受ける。なお、スキャナー制御部１３２は、ＣＰＵやこれを動作させるプログラムなどによって構成することができる。前記ＣＣＤ１３１で読み取った画像データは、読み取り処理部１１６でデータ処理がなされる。読み取り処理部１１６はＤＲＡＭ制御ＩＣ１１１に接続されている。
【００４８】
操作部１４０は、タッチパネル式のＬＣＤ１４１と、操作部制御部１４２とを備えており、上記ＬＣＤ１４１と操作部制御部１４２とが接続され、該操作部制御部１４２と前記画像制御ＣＰＵ１１３とがシリアル通信可能に接続されている。該構成によって操作部１４０の制御が画像制御ＣＰＵ１１３によって行われる。なお、操作部制御部１４２は、ＣＰＵやこれを動作させるプログラムなどによって構成することができる。
操作部１４０では、画像形成装置本体１０、給紙部２０や後処理部４０に対する各種の設定を行い、設定に基づいて画像制御ＣＰＵ１１３によって画像形成と用紙の搬送や後処理が制御される。
【００４９】
操作部１４０では、画像形成システム１における設定や動作指令などの動作制御条件の入力が可能となっており、さらに設定内容、機械状態、情報の表示等が可能になっており、画像制御ＣＰＵ１１３により制御される。この操作部１４０によって、所定の操作などを行うことができる。例えば、追い刷り印刷でジャムが発生した際に、ジャム処理後に、追い刷り印刷を中断して下地画像の印刷を行うモード、追い刷り印刷を継続して印刷の完了後に不足する下地画像の印刷を行うモード、ジャム発生時に後処理を行うジョブでは後処理部４０のウォームアップを開始するモード、下地画像の印刷に際し、余分な枚数の印刷を行うモードの設定を行うことができる。これらの設定は、初期設定によっていずれかが設定されているものであってもよく、これを操作部１４０で変更できるようにしてもよい。
【００５０】
また、ＤＲＡＭ制御ＩＣ１１１は、圧縮メモリー１２１とページメモリー１２２とからなる画像メモリー１２０に接続されている。該画像メモリー１２０には、前記スキャナー部１３０で取得した画像データやネットワーク６を通して取得した画像データが格納される。上記のように画像メモリー１２０は、画像データの記憶領域であり、印刷するジョブの画像データを格納する。また、上記ＤＲＡＭ制御ＩＣ１１１によって複数のジョブに関する画像データを画像メモリー１２０に記憶させることができる。すなわち、画像メモリー１２０には予約されたジョブの画像データの格納も可能である。また、画像データは、ＨＤＤ１１９に格納することもできる。
【００５１】
ＤＲＡＭ制御ＩＣ１１１には、画像データを圧縮し、または圧縮したデータを伸長する圧縮／伸長ＩＣ１１７が接続されている。ＤＲＡＭ制御ＩＣ１１１には書き込み処理部１２３が接続されている。該書き込み処理部１２３は、プリンター部１５０のＬＤ１５Ｅに接続され、該ＬＤ１５Ｅの動作に用いられるデータの処理を行う。ＬＤ１５Ｅは、各色用のＬＤを総称するものである。また、プリンター部１５０は、画像形成部１５や搬送経路１４を含む搬送部を制御する。
【００５２】
プリンター部１５０には、プリンター部１５０全体を制御するプリンター制御部１５１を備えており、該プリンター制御部１５１は、前記した画像制御ＣＰＵ１１３に接続されて制御を受ける。すなわち、画像制御ＣＰＵ１１３から与えられるパラメータに従い、プリント動作の開始／停止を行う。プリンター制御部１５１には、給紙部２０や箔押し機３０の外部装置制御部３００や後処理部４０の外部装置制御部４００が制御可能に接続されており、画像制御ＣＰＵ１１３の指令によってプリンター制御部１５１を介して所定の給紙トレイからの用紙の搬送や後処理の制御を行うことができる。
【００５３】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリー１６２が接続されている。また、画像処理部（プリント＆スキャナーコントローラー）１６０では、前記ＤＲＡＭ制御ＩＣ１６１にコントローラー制御部１６３が接続されており、ＤＲＡＭ制御ＩＣ１６１に、ＬＡＮ制御部１６４、ＬＡＮインターフェース１６５が接続されている。ＬＡＮインターフェース１６５は、ネットワーク６に接続されている。
【００５４】
ネットワーク６には、外部装置５が接続されており、画像形成装置本体１０との間で画像データの送受信を行うことができる。また、外部装置５には外部装置制御部５００を備えており、外部装置５の制御の他に、画像形成装置本体１０との間の通信制御を行う。
外部装置５は、画像形成装置を管理する装置とすることができ、画像形成装置に制御指示を行ったり、直接制御を行ったりすることができる。この場合、外部装置５は本発明の管理装置に相当し、外部装置制御部５００は、本発明の管理制御部に相当する。
この場合、外部装置制御部５００は、画像形成装置本体１０を管理することができる。外部装置制御部５００は、ＣＰＵやこれを動作させるプログラム、記憶部などによって構成することができる。外部装置制御部５００で画像形成装置本体１０に対し、画像形成や片面印刷モード、両面印刷モードの選択指示や制御を行うことができる。なお、ネットワーク６は、さらにＷＡＮとして外部装置５が接続されるものであってもよい。
【００５５】
次に、上記画像形成装置本体１０の基本的動作について説明する。
先ず、画像形成装置本体１０において画像データを蓄積する手順について説明する。
スキャナー部１３０で原稿の画像を読み取り、画像データを生成する場合、スキャナー部１３０において原稿からＣＣＤ１３１により原稿の画像を光学的に読み取る。この際には、画像制御ＣＰＵ１１３から指令を受けるスキャナー制御部１３２によってＣＣＤ１３１の動作制御を行う。ＣＣＤ１３１で読み取られた画像は、読み取り処理部１１６でデータ処理がなされ、データ処理された画像データは、圧縮／伸長ＩＣ１１７において所定の方法によって圧縮され、ＤＲＡＭ制御ＩＣ１１１を介して圧縮メモリー１２１やＨＤＤ１１９に格納される。圧縮メモリー１２１やＨＤＤ１１９に格納された画像データは、画像制御ＣＰＵ１１３によってジョブとして管理することができる。
【００５６】
画像データを外部から取得する場合、例えば、外部装置５などからネットワーク６を通して送信される画像データは、ＬＡＮインターフェース１６５、ＬＡＮ制御部１６４を介して、コントローラー制御部１６３で制御されるＤＲＡＭ制御ＩＣ１６１により画像メモリー１６２に格納される。画像メモリー１６２のデータは、ＤＲＡＭ制御ＩＣ１６１、ＰＣＩバス１１２、ＤＲＡＭ制御ＩＣ１１１を介してページメモリー１２２に一旦格納される。ページメモリー１２２に格納されたデータは、ＤＲＡＭ制御ＩＣ１１１を介して圧縮／伸長ＩＣ１１７に順次送られて圧縮処理され、ＤＲＡＭ制御ＩＣ１１１を介して圧縮メモリー１２１やＨＤＤ１１９に格納され、上記と同様に画像制御ＣＰＵ１１３による管理がなされる。
【００５７】
画像形成装置本体１０で画像出力を行う場合、すなわち複写機やプリンターとして使用する場合、圧縮メモリー１２１やＨＤＤ１１９に格納された画像データを、ＤＲＡＭ制御ＩＣ１１１を介して圧縮／伸長ＩＣ１１７に送出して、画像データを展開し、その展開された画像データを書き込み処理部１２３にて繰り返しＬＤ１５Ｅに展開することで、用紙に画像データを印字することができる。
【００５８】
複写機として使用する場合、操作部１４０上で設定された印刷条件（プリントモード）等の情報を通知し、画像制御ＣＰＵ１１３で設定情報を作成する。作成された設定情報は画像制御ＣＰＵ１１３内のＲＡＭに格納することができる。通常印刷の指定もここで行う。
画像形成装置本体１０をプリンターとして用いる場合、印刷条件は、外部装置５内のプリンタドライバで設定することができる。ここで設定された印刷条件は、画像と同様に（外部装置５→  ＬＡＮ  ＩＦ１６５→  画像メモリー１６２→  ＤＲＡＭ制御ＩＣ１６１（コントローラー）→  ＤＲＡＭ制御ＩＣ１１１（本体）→  ページメモリー１２２に格納される。
【００５９】
また、プリンター部１５０では、画像制御ＣＰＵ１１３の指令を受けたプリンター制御部１５１によって各部の制御が行われる。
画像形成装置本体１０で画像出力を行う場合、印刷条件を、操作部１４０を通して設定し、この設定によって画像制御ＣＰＵ１１３では印刷の制御を行うことができる。画像形成部１５では各感光体１５Ａに、ＬＤ１５Ｅによって書き込まれて現像されたトナー像が中間転写ベルト１５Ｂに転写された後、二次転写ローラー１５Ｃによって給紙部２０の設定された給紙トレイから供給される用紙に転写され、定着部１５Ｄで定着される。画像形成がなされた用紙は、搬送路１４によってそのまま箔押し機３０に送られるか、反転部１４Ｃに送ってウラ面への画像形成が行われる。
【００６０】
ジョブが、下地画像を形成し、下地画像の転写、追い刷りを行うものである場合に、用紙に下地画像が形成されている場合は、箔押し機３０で箔像が転写され、後処理部４０に搬送される。箔像が形成された用紙は、給紙部２０または画像形成装置本体１０の給紙トレイにセットして追い刷り印刷に供する。
また、追い刷り印刷を行った場合は、箔押し機で箔膜シート転写部３１を圧着解除して後処理部４０に搬送し、必要に応じて後処理を行う。
【００６１】
この実施形態では、１台の画像形成装置で下地画像と追い刷り画像を印刷する。
なお、追い刷り印刷において、下地画像に係る第１画像データと、追い刷り画像に係る第２画像データは紐付けされて制御部によって管理されている。
【００６２】
図３は、ジョブの設定画面１４００を示すものである。
ジョブ設定画面では、一時保存タブ１４３０の画面でジョブリスト画面１４０１が表示され、各リストのジョブを選択することができる。ジョブが多数ある場合は、ページめくり釦１４０２を操作することで、異なるジョブリストの頁を表示することができる。ジョブリスト画面１４０１の左側には、選択中のジョブにイメージが表示されるプレビュー画面１４０３の領域が設けられている。
ジョブリスト画面１４０１の右側には、ジョブの編集に用いる複数の操作釦が押下可能に設けられている。
【００６３】
編集に用いる釦郡では、最上段から下方側に、複数選択釦１４１０、全数選択釦１４１１が押下可能に表示されている。複数選択釦１４１０を押下すると、ジョブリスト画面１４０１におけるジョブを複数選択することができる。全数選択釦１４１１を押下すれば、ジョブリスト画面１４０１に表示されているジョブの全部を選択することができる。
全数選択釦１４１１の下方には、紐付け釦１４１５が押下可能に表示されている。紐付け釦１４１５は、選択されているジョブを紐付けする。紐付けでは、例えば、後述するジョブチケット釦１４２０などで下地、追い刷りの設定を行えるようにしてもよく、選択した順番で、下地、追い刷りが設定されるものであってもよい。
【００６４】
紐付け釦１４１５の下方には、削除釦１４１２、複製釦１４１３、ＨＤＤ保存釦１４１４が押下可能に設けられている。削除釦１４１２は、選択されたジョブをジョブリストから削除し、複製釦１４１３は、選択されたジョブを複製して新たなジョブとしてジョブリストに載せることができる。ＨＤＤ保存釦１４１４は、選択されたジョブを画像メモリからＨＤＤに保存することができる。
ジョブ編集では、ジョブチケット釦１４２０、ページ編集釦１４２１が押下可能に表示されており、ジョブの編集を行うことができる。
【００６５】
選択されたジョブは、出力釦１４２２を押下することで、印刷が行われる。
下地画像のジョブを選択し、出力釦１４２２を押下すれば、白紙に印刷をして下地画像が印刷された用紙を作成する。その出力物を給紙トレイに戻して、追い刷り画像のジョブを選択して印刷を実行することで最終成果物を得ることができる。なお、下地画像のジョブと追い刷り画像のジョブとは紐付けされており、両者の紐付けは、ジョブリスト画面１４０１で紐付けが目視で分かるように表示すれば、直ちに追い刷り画像の選択を行うことができる。下地画像と追い刷り画像が両方印刷されて最終成果物となるので、これら２つのジョブを紐付けして管理する。
図３は、１台の画像形成装置に下地画像のジョブと追い刷り画像のジョブを登録したときの画像形成装置のパネル表示を示している。オペレーターはこの２つのジョブを選択して、紐付けすることにより画像形成装置は下地画像ジョブと追い刷り画像のジョブの印刷数が同じにならなければならないことを把握できるようになる。
【００６６】
以下に、１台の画像形成装置で下地画像と追い刷り画像を印刷して最終成果物を作成するときのシーケンスを図４のフローチャートに示す。なお、以下の手順は制御部の制御によって実行される。なお括弧の番号はシーケンスのステップ番号を示している。以下同じである。
【００６７】
（１００）      シーケンス開始。
（１０１）      オペレーターは下地画像のジョブを選択する。下地画像は第１印刷データを有しており、このデータによる出力指示をする。下地画像を印字した用紙が排紙トレイに出てくる。
（１０２）      オペレーターは排紙トレイに出てきた下地画像が印字された用紙を給紙トレイに戻す。
（１０３）      オペレーターは追い刷り画像のジョブを選択する。追い刷り画像は第２印刷データを有しており、このデータによる出力指示をする。
（１０４）      追い刷り画像が印字された用紙が排紙トレイに出てくる。これが最終成果物となる。
（１０５）      シーケンス終了
【００６８】
なお、追い刷り画像（第２印刷データ）のジョブ出力中にジャムが発生した場合、下地画像（第１印刷データ）が印刷された用紙がジャム処理で取り除かれてしまうので、下地画像（第１印刷データ）が印刷された用紙が足りなくなってしまう。そのときに、画像形成装置は、ジャム処理で何枚取り除かれたか（何枚足りないか）を計算し、オペレーターに白紙を何枚給紙トレイに入れればよいかを指示する。下地画像のジョブと追い刷り画像のジョブとは紐付けされているため、両者の枚数確認を容易に行うことができる。給紙トレイに白紙を入れてジョブを再開すると、下地画像（第１印刷データ）が再印刷され、オペレーターは出力物を給紙トレイに入れる。その後、追い刷り画像（第２画像データ）のジョブ印刷が再開され、最終成果物が不足することを防ぐことができる。
【００６９】
ジャムが発生した場合に画像形成装置が下地画像（第１印刷データ）の再印刷を実施するときのシーケンスを図５に示す。なお、以下の手順は制御部の制御によって実行される。
【００７０】
（２００）      シーケンス開始。
（２０１）      下地画像（第１印刷データ）の印字が完了。オペレーターは下地画像（第１印刷データ）が印字された用紙を給紙トレイに戻す。
（２０２）      追い刷り画像（第２印刷データ）のジョブを開始する。
（２０３）      ジャム発生。
（２０４）      オペレーターはジャムの処理をする。そのときに画像形成装置内に残っている用紙が取り除かれる。
（２０５）      画像形成装置は追い刷り画像（第２印刷データ）のジョブで排紙完了している枚数＋残りの印刷で必要な枚数と下地画像（第１印刷データ）のジョブで出力した枚数を比較し、下地画像（第１印刷データ）のジョブで出力した枚数が少ない場合は再印刷が必要と判断する。
（２０６）      パネルに下地画像（第１印刷データ）の再印刷に必要な枚数を表示する。オペレーターはパネルの表示に従い、白紙を給紙トレイに入れる。
（２０７）      下地画像（第１印刷データ）の再印刷を実行する。（２０５）で計算した枚数を印字する。
（２０８）      下地画像（第１印刷データ）が印刷された用紙が出てくるので、オペレーターはその用紙を給紙トレイに入れる。
（２０９）      追い刷り画像（第２印刷データ）のジョブを再開する。
（２１０）      シーケンス終了。
【００７１】
ジャム処理後に下地画像（第１印刷データ）の再印刷は実行せずに、追い刷り画像（第２印刷データ）の印刷を継続し、用紙がなくなってから下地画像（第１印刷データ）の再印刷を実施するシーケンスを図６に示す。
このシーケンスは、箔押し機など下地画像（第１印刷データ）の出力に後処理が必要な場合に使われる。後処理装置の準備（ウォーミングアップ）が必要な場合、追い刷り画像（第２印刷データ）の印刷を中断して、下地画像（第１印刷データ）の出力をすると、後処理装置の準備待ち時間が発生してしまう。これを回避するために、追い刷り画像（第２印刷データ）の印刷が可能なところまで継続し、紙なしになってから後処理装置の準備・下地画像（第１印刷データ）の再印刷をする。
【００７２】
（３００）      シーケンス開始。
（３０１）      追い刷り画像（第２印刷データ）の印刷中にジャムが発生し、ジャム処理をして用紙を取り除く。
（３０２）      画像形成装置は、図５のステップ（２０５）と同じアルゴリズムを使ってジャム処理で取り除かれた用紙枚数を計算する。
（３０３）      追い刷り画像（第２印刷データ）の印刷を再開する。
（３０４）      下地画像（第１印刷データ）が印刷された用紙が足りなくなるので、紙なしが発生する。
（３０５）      ステップ（３０２）で計算した追加印刷用紙枚数分の下地画像（第１印刷データ）の印刷を実施する。図５と同様にパネルに給紙トレイに入れる白紙枚数を表示する。オペレーターは出力された下地画像（第１印刷データ）の印刷された用紙を給紙トレイに戻す。
（３０６）      追い刷り画像（第２印刷データ）の印刷を再開する。
（３０７）      シーケンス終了。
【００７３】
ジャム処理後に、追い刷り画像の印刷を再開するか、下地画像（第１印刷データ）の再印刷は実行するかを選択して、印刷を行うシーケンスを図７に示す。
【００７４】
（３５０）      シーケンス開始。
（３５１）      追い刷り画像（第２印刷データ）の印刷中にジャムが発生し、ジャム処理をして用紙を取り除く。
（３５２）      画像形成装置は図５のステップ（２０５）と同じアルゴリズムを使ってジャム処理で取り除かれた用紙枚数を計算する。
（３５３）      ジャム処理後、追い刷り画像（第２印刷データ）の印刷を再開するかを判定する。追い刷り画像（第２印刷データ）の印刷を再開するかは、予め、初期設定や操作部１４０の操作入力によって設定しておいてもよく、この状況で、操作部１４０を通してユーザーに問い合わせ、ユーザー操作入力をして設定を行うようにしてもよい。
（３５４）      追い刷り画像の印刷を再開する場合、追い刷り画像（第２印刷データ）の再開を行う。
（３５５）      下地画像（第１印刷データ）が印刷された用紙が足りなくなるので、紙なしが発生する。
（３５６）      ステップ（３５２）で計算した追加印刷用紙枚数分の下地画像（第１印刷データ）の印刷を実施する。図５と同様にパネルに給紙トレイに入れる白紙枚数を表示する。オペレーターは出力された下地画像（第１印刷データ）の印刷された用紙を給紙トレイに戻す。
（３５７）      追い刷り画像（第２印刷データ）の印刷を再開する。
（３５８）      シーケンス終了。
（３５９）      ステップ（３５３）で、追い刷り画像（第２印刷データ）の印刷を再開しないと判定された場合、ジャム処理で取り除かれた枚数分の下地画像（第１印刷データ）の印刷を実施する。
（３６０）      出力した、下地画像（第１印刷データ）が印刷された用紙を給紙トレイに戻す。
（３６１）      追い刷り画像（第２印刷データ）の印刷を再開する。
（３５８）      シーケンス終了。
【００７５】
下地画像（第１印刷データ）の印刷に後処理装置が必要な場合（箔押し機など）、ジャム処理中に後処理装置のウォーミングアップを開始して、ジャム処理完了後すぐに下地画像（第１印刷データ）の出力ができるようにする。ジャム処理中にウォーミングアップをして、その後下地画像（第１印刷データ）の出力を実行するか、追い刷り画像（第２画像データ）の出力を全て完了してから後処理装置のウォーミングアップをして下地画像（第１印刷データ）の出力をするかはオペレーターが選択できるようにする。シーケンスを図８に示す。
【００７６】
（４００）      シーケンス開始。
（４０１） 追い刷り画像（第２印刷データ）の印刷中にジャムが発生する。
（４０２）      ジャム処理を開始する。
（４０３）      後処理をウォーミングアップするかを判定する。ジャム発生時にウォーミングアップするかは、予め、初期設定や、ユーザーによる操作部１４０を通した設定を行っておくことができる。また、ジャム発生時に操作部１４０に問い合わせを行ってユーザーが選択できるようにしてもよい。
（４０４）      ジャム発生時にウォーミングアップを行う判定の場合、後処理装置のウォーミングアップを開始する。
（４０５）      ジャム処理をして用紙を取り除く。
（４０６）      下地画像（第１印刷データ）の印刷を再印刷を実施する。
（４０７）      追い刷り画像（第２印刷データ）の印刷を再開する。
（４０８）      シーケンス終了。
（４０９）      ステップ（４０３）でジャム発生時にウォーミングアップを行わない判定の場合、ジャム処理をして用紙を取り除く。
（４１０）      追い刷り画像（第２印刷データ）の印刷を再開する。
（４１１）      下地画像（第１印刷データ）が印刷された用紙が足りなくなるので、紙なしが発生する。
（４１２）      後処理装置のウォーミングアップを開始する。
（４０６）      下地画像（第１印刷データ）の印刷を再印刷を実施する。
（４０７）      追い刷り画像（第２印刷データ）の印刷を再開する。
（４０８）      シーケンス終了。
【００７７】
下地画像（第１印刷データ）の出力をするときに追い刷り画像（第２画像データ）の出力時にジャムが発生することを見越して、下地画像（第１印刷データ）の出力を余分に実施しておく。予備の下地画像（第１印刷データ）がなくなった場合は、不足分の下地画像（第１印刷データ）を実施する。下地画像（第１印刷データ）の出力に予備があるかの判断は、下地画像（第１印刷データ）の出力数と追い刷り画像（第２画像データ）出力で設定された部数を比較することで実現する。下地画像（第１印刷データ）の出力数が不足している場合は、下地画像（第１印刷データ）の再出力シーケンスに入る。下地画像（第１印刷データ）の出力数が足りている場合は下地画像（第１印刷データ）の再出力シーケンスには入らない。シーケンスを図９に示す。
【００７８】
（５００） シーケンス開始。
（５０１） オペレーターは下地画像（第１印刷データ）の出力をするときに画像形成装置のパネルから余分に出力しておく枚数を指定する。
（５０２） 下地画像（第１印刷データ）の印刷を実施する。出力された下地画像（第１印刷データ）が印刷された用紙をオペレーターは給紙トレイに戻す。
（５０３） 追い刷り画像（第２画像データ）の印刷を実施する。
（５０４） ジャムが発生・ジャム処理をして用紙を取り除く。
（５０５） 追い刷り画像（第２画像データ）の印刷を再開する。
（５０６） 追い刷り画像（第２画像データ）の印刷をしていて
下地画像（第１印刷データ）が印刷された用紙が足りなくなった場合は（５０９）へ。
下地画像（第１印刷データ）が印刷された用紙がなくなることなく追い刷り画像（第２画像データ）のジョブが完了した場合は（５０７）へ。
（５０７） 追い刷り画像（第２画像データ）のジョブが完了する。
（５０８） 下地画像（第１印刷データ）が印刷された用紙が不足しているので、下地画像（第１印刷データ）のジョブを実施して下地画像（第１印刷データ）が印刷された用紙を再作成する。
（５０９） 出力された下地画像（第１印刷データ）が印刷された用紙をオペレーターは給紙トレイに戻し、追い刷り画像（第２画像データ）のジョブを再開する。
（５１０） シーケンス終了。
【００７９】
本発明は下地画像（第１画像データ）の印刷を完了させる後処理装置（箔押し機など）が画像形成装置よりも下流にある場合に特に必要となる構成である。
下地画像（第１印刷データ）→後処理装置→追い刷り画像（第２印刷データ）と処理するためには、下地画像（第１画像データ）の印刷した用紙を給紙トレイに戻して、同じ画像形成装置で２回印刷する必要がある。直列タンデムで下地画像（第１画像データ）の印刷と追い刷り画像（第２印刷データ）の印刷をするシステムでは本発明の機能を実現する必要はない。
【００８０】
なお、上記実施形態では、下地画像として箔用画像を形成し、その後に追い刷り画像を行うものについて説明したが、下地画像と追い刷り画像との関係はこれに限定されるものではなく、下地画像と追い刷り画像の種々の組み合わせにおいて適用されるものである。
【００８１】
以上、本発明について上記実施形態に基づいて説明を行ったが、本発明の範囲を逸脱しない限りは適宜の変更が可能である。
【符号の説明】
【００８２】
１    画像形成システム
５    外部装置
６    ネットワーク
１０    画像形成装置本体
１４    搬送路
１５    画像形成部
３０    箔押し機
３１    箔膜シート転写部
１００    制御部
１１３    画像制御ＣＰＵ
１４０    操作部
５００    外部装置制御部
１４００  ジョブの設定画面
１４０１  ジョブリスト画面
１４１０  複数選択釦
１４１１  全数選択釦
１４１５  紐付け釦
１４２０  ジョブチケット釦
１４２２  出力釦
【図１】
2017154367.tif 000003
【図２】
2017154367.tif 000004
【図３】
2017154367.tif 000005
【図４】
2017154367.tif 000006
【図５】
2017154367.tif 000007
【図６】
2017154367.tif 000008
【図７】
2017154367.tif 000009
【図８】
2017154367.tif 000010
【図９】
2017154367.tif 000011